(57)【要約】【課題】インターネットおよび／またはサービスプロバイダネットワークなどのネットワーク接続上の個別のアンテナフィードにユーザが別々にアクセスできるようにする方法を提供する。【解決手段】無線放送からのコンテンツ送信をユーザ装置にストリーミングする方法であって、利用可能なコンテンツ送信のリストをユーザに提示することと、利用可能なコンテンツ送信の中から選択されたコンテンツ送信を受信する要求を、ユーザから受信することと、個別のユーザそれぞれ用のアンテナ素子を用いて前記選択されたコンテンツ送信を受信することと、選択されたコンテンツ送信を前記ユーザ装置にストリーミングすることとを含む。【選択図】図１
2014502465.tif 000002
【特許請求の範囲】
【請求項１】
無線放送からのコンテンツ送信をユーザ装置にストリーミングする方法であって、
利用可能なコンテンツ送信のリストをユーザに提示することと、
前記利用可能なコンテンツ送信の中から選択されたコンテンツ送信を受信する要求を、前記ユーザから受信することと、
個別のユーザそれぞれのためのアンテナ素子を用いて前記選択されたコンテンツ送信を受信することと、
前記選択されたコンテンツ送信を前記ユーザ装置にストリーミングすることとを含む、ストリーミング方法。
【請求項２】
請求項１に記載の方法において、放送事業体から前記選択されたコンテンツ送信を受信するように、前記アンテナ素子をチューニングすることをさらに含む、ストリーミング方法。
【請求項３】
請求項１に記載の方法において、コンテンツ送信データを生成するように、前記アンテナ素子からのフィードを復調することをさらに含む、ストリーミング方法。
【請求項４】
請求項３に記載の方法において、前記コンテンツ送信のデータを異なる符号化にトランスコードすることをさらに含む、ストリーミング方法。
【請求項５】
請求項４に記載の方法において、前記コンテンツ送信のデータは、ＭＰＥＧ−２からＭＰＥＧ−４の符号化にトランスコードされる、ストリーミング方法。
【請求項６】
請求項３に記載の方法において、前記コンテンツ送信のデータを２つ以上の異なる解像度にトランスコードすることをさらに含む、ストリーミング方法。
【請求項７】
請求項６に記載の方法において、前記ユーザ装置の解像度に基づいて判定される解像度で、前記トランスコードされたコンテンツ送信のデータを前記ユーザ装置にストリーミングすることをさらに含む、ストリーミング方法。
【請求項８】
請求項１に記載の方法において、前記選択されたコンテンツ送信を前記ユーザにストリーミングする前に、前記選択されたコンテンツ送信をファイル格納部に格納することをさらに含む、ストリーミング方法。
【請求項９】
請求項８に記載の方法において、前記ファイル格納部は、前記選択されたコンテンツ送信を、個別のユーザそれぞれのための別々の位置に格納する、ストリーミング方法。
【請求項１０】
請求項１に記載の方法において、いずれのアンテナ素子が前記ユーザの前記選択されたコンテンツ送信を受信するのに最適化されているかに基づいて、利用可能なアンテナ素子から前記アンテナ素子を前記ユーザに割り当てることをさらに含む、ストリーミング方法。
【請求項１１】
請求項１に記載の方法において、利用可能なコンテンツ送信の前記リストは、前記ユーザそれぞれの地理的位置において利用可能な前記無線放送に基づく、ストリーミング方法。
【請求項１２】
請求項１に記載の方法において、ユーザには、個別のユーザそれぞれに選択された前記アンテナ素子によって受信された前記選択されたコンテンツ送信のみがストリーミングされる、ストリーミング方法。
【請求項１３】
請求項１に記載の方法において、ユーザがコンテンツ送信を要求すると即座に、アンテナ素子を割り当てることをさらに含む、ストリーミング方法。
【請求項１４】
請求項１に記載の方法において、コンテンツ送信に対する前記要求を満たすのに使用されるアンテナ素子をユーザの専用にすることをさらに含む、ストリーミング方法。
【請求項１５】
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
個別のユーザそれぞれのために前記選択されたコンテンツ送信を受信するようにアンテナ素子を制御するアンテナ制御部と、
前記選択されたコンテンツ送信をコンテンツデータとして前記ユーザ装置にストリーミングするストリーミングサーバとを含む、ストリーミングシステム。
【請求項１６】
請求項１５に記載のシステムにおいて、アンテナ制御部の制御下において、放送事業体から前記選択されたコンテンツ送信を受信するように、前記アンテナ素子をチューニングするチューナをさらに含む、ストリーミングシステム。
【請求項１７】
請求項１５に記載のシステムにおいて、コンテンツデータを生成するように、前記アンテナ素子からのフィードを復調および復号化する復調器をさらに含む、ストリーミングシステム。
【請求項１８】
請求項１７に記載のシステムにおいて、前記コンテンツ送信のデータを異なる符号化に変換するトランスコーダをさらに含む、ストリーミングシステム。
【請求項１９】
請求項１８に記載のシステムにおいて、前記コンテンツ送信のデータは、前記トランスコーダによってＭＰＥＧ−２からＭＰＥＧ−４符号化に変換される、ストリーミングシステム。
【請求項２０】
請求項１８に記載のシステムにおいて、前記トランスコーダは、前記コンテンツ送信のデータを２つ以上の異なる解像度に変換する、ストリーミングシステム。
【請求項２１】
請求項２０に記載のシステムにおいて、前記ストリーミングサーバは、前記ユーザ装置の解像度に基づいて判定される解像度で、前記トランスコードされたコンテンツデータを前記ユーザ装置にストリーミングする、ストリーミングシステム。
【請求項２２】
請求項１５に記載のシステムにおいて、前記ユーザ装置にストリーミングする前に前記コンテンツデータを格納するファイル格納部をさらに含む、ストリーミングシステム。
【請求項２３】
請求項２２に記載のシステムにおいて、前記ファイル格納部は、前記コンテンツデータを個別のユーザそれぞれのための別々の位置に格納する、ストリーミングシステム。
【請求項２４】
請求項１５に記載のシステムにおいて、いずれのアンテナ素子が前記選択されたコンテンツ送信を受信するのに最適化されているかに基づいて、利用可能なアンテナ素子から前記アンテナ素子をユーザに割り当てる前記アンテナ制御部をさらに含む、ストリーミングシステム。
【請求項２５】
請求項１５に記載のシステムにおいて、アプリケーションサーバは、前記ユーザそれぞれの地理的位置において利用可能な前記無線放送に基づいて、利用可能なコンテンツ送信の前記リストを提供する、ストリーミングシステム。
【請求項２６】
請求項１５に記載のシステムにおいて、ユーザには、個別のユーザそれぞれに選択された前記アンテナ素子によって受信された前記選択されたコンテンツ送信のみがストリーミングされる、ストリーミングシステム。
【請求項２７】
請求項１５に記載のシステムにおいて、前記アンテナ制御部は、ユーザがコンテンツ送信を要求すると即座に、前記アンテナ素子を割り当てる、ストリーミングシステム。
【請求項２８】
請求項１５に記載のシステムにおいて、前記アンテナ制御部は、コンテンツ送信に対する前記要求を満たすのに使用される前記アンテナ素子をユーザの専用にする、ストリーミングシステム。
【請求項２９】
無線放送をキャプチャシステムであって、
コンテンツ送信の無線放送を受信するアンテナ素子のサブアレイであって、それぞれ、異なる放送事業体から無線放送を受信するように最適化される、サブアレイと、
前記放送事業体からのコンテンツ送信に対するユーザ要求を受信するアプリケーションサーバと、
前記ユーザによって要求された前記コンテンツ送信を生成する前記放送事業体を検出するためにアンテナ素子のいずれのサブアレイが最適化されているかに基づいて、前記ユーザそれぞれに個別のアンテナ素子を割り当てるアンテナ制御部とを含む、キャプチャシステム。
【請求項３０】
無線放送をキャプチャする方法であって、
アンテナ素子のサブアレイを用いてコンテンツ送信の無線放送を受信することであって、アンテナ素子の各サブアレイは異なる放送事業体から無線放送を受信するように最適化される、受信することと、
前記放送事業体からのコンテンツ送信に対するユーザ要求を受信することと、
前記コンテンツ送信を生成する前記放送事業体を検出するために前記サブアレイのうちのいずれが最適化されているかに基づいて、前記個別のユーザそれぞれに前記コンテンツ送信を受信するように、前記サブアレイの中から個別のアンテナ素子を割り当てることとを含む、キャプチャ方法。
【請求項３１】
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
アンテナ制御部であって、個別のユーザそれぞれのために前記選択されたコンテンツ送信を受信するようにアンテナ素子を制御し、ユーザが将来見たいと思うであろうと当該アンテナ制御部が予測するコンテンツ送信を受信するために、ユーザによって現在使用されていないアンテナ素子を割り当てる、アンテナ制御部と、
前記選択されたコンテンツ送信をコンテンツデータとして前記ユーザ装置にストリーミングするストリーミングサーバであって、あるユーザが前記予測されたコンテンツ送信のうちの１つを視聴することを所望すると、前記アンテナ素子からのフィードによって生成される前記コンテンツデータが、当該ユーザに割り振られて当該ユーザにストリーミングされる、ストリーミングサーバとを含む、システム。
【請求項３２】
録画済みコンテンツ送信をユーザ装置にストリーミングする方法であって、
前記コンテンツ送信をコンテンツデータとして放送ファイル格納部に格納することであって、前記コンテンツデータは、個別の前記ユーザそれぞれに対して一意的に割り振られ、かつアンテナフィードからの無線放送をキャプチャすることによって生成される、格納することと、
前記ユーザそれぞれの要求により録画された録画済みコンテンツ送信のリストを前記ユーザに提示することと、
前記ユーザによる選択に応答して、前記録画済みコンテンツ送信に対する前記コンテンツデータにアクセスし、前記対応するユーザ用のユーザ装置に前記コンテンツデータをストリーミングすることとを含む、ストリーミング方法。
【請求項３３】
請求項３２に記載の方法において、放送ファイル格納部内の前記格納されたコンテンツ送信は、前記ユーザのユーザアカウントの存続期間中、前記ユーザそれぞれに対して一意的に割り当てられるアンテナ素子を用いてキャプチャされる、ストリーミング方法。
【請求項３４】
請求項３２に記載の方法において、放送ファイル格納部内の前記格納されたコンテンツ送信は、前記コンテンツ送信の存続期間中、前記ユーザそれぞれに対して一意的に割り当てられるアンテナ素子を用いてキャプチャされる、ストリーミング方法。
【請求項３５】
請求項３２に記載の方法において、前記コンテンツ送信をキャプチャしたアンテナ素子は、前記放送ファイル格納部内の前記コンテンツデータで識別される、ストリーミング方法。
【請求項３６】
請求項３２に記載の方法において、前記放送ファイル格納部内の前記一意的に割り振られたコンテンツデータに、ユーザがユーザアカウントを用いてアクセスすることをさらに含む、ストリーミング方法。
【請求項３７】
請求項３２に記載の方法において、前記録画済みコンテンツ送信を格納することは、少なくとも２つの解像度で前記コンテンツデータを格納することを含む、ストリーミング方法。
【請求項３８】
請求項３７に記載の方法において、前記ユーザ装置の解像度を判定し、その後、前記コンテンツデータの高解像度版をストリーミングするか低解像度版をストリーミングするかを選択することをさらに含む、ストリーミング方法。
【請求項３９】
請求項３２に記載の方法において、前記ファイル格納部に格納される各コンテンツデータは、前記コンテンツデータが割り振られている前記ユーザを識別するユーザ情報によって識別される、ストリーミング方法。
【請求項４０】
請求項３２に記載の方法において、前記ファイル格納部に格納されるコンテンツデータは、前記コンテンツデータの生成の元となる前記無線放送をキャプチャするために使用されたアンテナ素子を識別するアンテナ情報によって識別される、ストリーミング方法。
【請求項４１】
請求項３２に記載の方法において、前記ファイル格納部に格納されるコンテンツデータは、前記コンテンツデータの生成の元となる前記無線放送がキャプチャされた時刻を識別する、時刻情報によって識別される、ストリーミング方法。
【請求項４２】
録画済みコンテンツ送信をストリーミングするシステムであって、
ユーザの別々のアカウントへのアクセスを提供するアプリケーションサーバであって、アンテナフィードからの無線放送をキャプチャすることによって前記別々のユーザそれぞれの要求により録画された、録画済みコンテンツ送信のリストを前記ユーザに提供する、アプリケーションサーバと、
前記録画済みコンテンツ送信に対するコンテンツデータであって、別々の前記ユーザそれぞれに対して一意的に割り振られているコンテンツデータにアクセスし、前記コンテンツデータを前記ユーザの装置にストリーミングする、ストリーミングサーバとを含む、ストリーミングシステム。
【請求項４３】
請求項４２に記載のシステムにおいて、前記コンテンツデータを格納する放送ファイル格納部をさらに含む、ストリーミングシステム。
【請求項４４】
請求項４３に記載のシステムにおいて、前記放送ファイル格納部内の前記録画済みコンテンツ送信の前記無線放送をキャプチャするのに使用される１つ以上のアンテナ素子をさらに含み、前記ファイル格納部は、前記無線放送のそれぞれをキャプチャするのに使用されたアンテナ素子を識別する、ストリーミングシステム。
【請求項４５】
請求項４３に記載のシステムにおいて、前記ファイル格納部は、少なくとも２つの解像度で前記録画済みコンテンツ送信を格納する、システム。
【請求項４６】
請求項４５に記載のシステムにおいて、前記ストリーミングサーバは、前記ユーザ装置の解像度に基づいて、前記解像度の１つで前記コンテンツ送信のうちの１つをストリーミングする、ストリーミングシステム。
【請求項４７】
請求項４３に記載のシステムにおいて、
前記ファイル格納部内に格納されたコンテンツデータは、前記コンテンツデータが割り振られた前記ユーザを識別するユーザ情報によって識別される、ストリーミングシステム。
【請求項４８】
録画済みコンテンツ送信を格納するファイル格納システムであって、
格納されたコンテンツデータであって、アンテナフィードからの無線放送からキャプチャされたコンテンツ送信から生成された、格納されたコンテンツデータを含む、ファイル格納システム。
【請求項４９】
請求項４８に記載のシステムにおいて、コンテンツデータは、少なくとも２つの解像度によるコンテンツ送信を含む、ファイル格納システム。
【請求項５０】
請求項４８に記載のシステムにおいて、コンテンツデータは、少なくとも３つの解像度によるコンテンツ送信を含む、ファイル格納システム。
【請求項５１】
請求項４８に記載のシステムにおいて、前記ファイル格納部に格納されているコンテンツデータは、前記コンテンツデータが割り振られた前記ユーザを識別するユーザ情報によって識別される、ファイル格納システム。
【請求項５２】
請求項４８に記載のシステムにおいて、前記ファイル格納部に格納されたコンテンツデータは、前記無線放送をキャプチャするのに使用されたアンテナ素子を識別するアンテナ情報によって識別される、ファイル格納システム。
【請求項５３】
無線放送を別々に受信するアンテナ素子の２次元アレイであって、１平方メートルにつき少なくとも１０のアンテナ素子の密度を有する、アンテナ素子の２次元アレイと、
前記別々のアンテナ素子によって受信された無線放送を、データ格納システムに格納されるコンテンツデータに変換するエンコーダシステムとを含む、アンテナシステム。
【請求項５４】
請求項５３に記載のシステムであって、前記アンテナ素子が無指向性アンテナ素子である、アンテナシステム。
【請求項５５】
請求項５３に記載のシステムにおいて、前記アンテナ素子が対称２重ループアンテナ素子である、アンテナシステム。
【請求項５６】
請求項５３に記載のシステムにおいて、
アンテナ素子の前記２次元アレイの複数と、
互いに隣接する前記複数の２次元アレイを支持する筐体とをさらに含む、アンテナシステム。
【請求項５７】
請求項５６に記載のシステムにおいて、アンテナ素子の前記複数の２次元アレイが、前記筐体内に３次元アレイを形成する、アンテナシステム。
【請求項５８】
請求項５３に記載のシステムにおいて、アンテナ素子の前記２次元アレイおよび前記エンコーダシステムの少なくとも一部が、共通の回路基板に実装される、アンテナシステム。
【請求項５９】
請求項５８に記載のシステムにおいて、
前記エンコーダシステムは、前記回路基板に実装された復調器を含む、アンテナシステム。
【請求項６０】
請求項５３に記載の前記システムにおいて、前記２次元アレイの前記アンテナ素子をチューニングする無線周波数チューナをさらに含む、アンテナシステム。
【請求項６１】
請求項６０に記載のシステムにおいて、アンテナ素子の前記２次元アレイおよび前記無線周波数チューナは、共通の回路基板に実装される、アンテナシステム。
【請求項６２】
請求項６１に記載のシステムにおいて、前記回路基板は、少なくとも５０のアンテナ素子を含む、アンテナシステム。
【請求項６３】
請求項５３に記載のシステムにおいて、前記アンテナ素子は１平方メートルにつき少なくとも５０のアンテナ素子の密度を有する、アンテナシステム。
【請求項６４】
請求項５３に記載のシステムにおいて、前記アンテナ素子は半球状指向性アンテナ素子である、アンテナシステム。
【請求項６５】
アンテナ素子のアレイを用いて無線放送を受信する方法であって、
前記無線放送を受信するアンテナ素子の２次元アレイであって、１平方メートルにつき少なくとも１０のアンテナ素子の密度を有する、アンテナ素子の２次元アレイを提供することと、
アンテナ素子の前記アレイで前記無線放送を受信することと、
データ格納装置に格納されるコンテンツデータに前記無線放送を符号化することとを含む、無線放送受信方法。
【請求項６６】
請求項６５に記載の方法において、
アンテナ素子の前記２次元アレイの複数を提供することと、
互いに隣接する前記複数の２次元アレイを収容することとさらに含む、無線放送受信方法。
【請求項６７】
請求項６６に記載の方法において、アンテナ素子の前記複数の２次元アレイから３次元アレイを形成することをさらに含む、無線放送受信方法。
【請求項６８】
請求項６５に記載の前記方法において、アンテナ素子の前記２次元アレイと前記アンテナ素子用のチューナとを共通の回路基板に実装することをさらに含む、無線放送受信方法。
【請求項６９】
請求項６５に記載の方法において、前記２次元アレイ内に少なくとも５０のアンテナ素子を設けることをさらに含む、無線放送受信方法。
【請求項７０】
請求項６５に記載の方法において、前記アンテナ素子は１平方メートルにつき少なくとも５０のアンテナ素子の密度を有する、無線放送受信方法。
【請求項７１】
アンテナフィードを処理するシステムであって、
コンテンツ無線放送を受信するアンテナ素子と、
アンテナ処理パイプラインであって、各パイプラインは、前記アンテナ素子からの前記アンテナフィードを復調して、前記アンテナ素子によって受信された、前記コンテンツ無線放送に対するコンテンツデータを生成する、アンテナ処理パイプラインと、
前記アンテナ素子それぞれを前記アンテナ処理パイプラインのうちのいずれか１つに選択的に接続するスイッチングシステムと、
前記コンテンツに対するユーザ要求を満たすように、前記スイッチングシステムを制御して前記コンテンツデータの生成を可能にするアンテナ制御部とを含む、アンテナフィード処理システム。
【請求項７２】
請求項７１に記載のシステムにおいて、前記アンテナフィードを復調する前記パイプラインのそれぞれは、前記アンテナ素子からの前記アンテナフィードを復調する復調器の群から選択される復調器を含む、アンテナフィード処理システム。
【請求項７３】
請求項７２に記載のシステムにおいて、復調器の前記群からの前記復調器のいずれもが利用可能でない場合、前記アンテナ制御部は代替の復調器を探索する、アンテナフィード処理システム。
【請求項７４】
請求項７３に記載のシステムにおいて、前記アンテナ制御部が代替の復調器を捜し出した場合、前記アンテナ制御部は、前記代替の復調器に前記アンテナ素子を接続して追加のアンテナ処理パイプラインを生成するように、前記スイッチングシステムを設定する、アンテナフィード処理システム。
【請求項７５】
請求項７１に記載のシステムにおいて、前記アンテナ素子は前記アンテナ処理パイプラインの数を上回る、アンテナフィード処理システム。
【請求項７６】
請求項７１に記載のシステムにおいて、前記アンテナ素子はユーザに一時的に割り当てられる、アンテナフィード処理システム。
【請求項７７】
請求項７１に記載のシステムにおいて、前記アンテナ素子は、ユーザのユーザアカウントの存続期間中、当該ユーザの専用とされる、アンテナフィード処理システム。
【請求項７８】
請求項７１に記載のシステムにおいて、前記アンテナ素子からの前記アンテナフィードを復調する前記パイプラインは、無線周波数チューナを含み、各無線周波数チューナは、前記アンテナ素子のそれぞれが異なるコンテンツ無線放送を受信できるように個別にチューニング可能である、アンテナフィード処理システム。
【請求項７９】
請求項７８に記載のシステムにおいて、前記無線周波数チューナは、前記アンテナ素子に直接接続される、アンテナフィード処理システム。
【請求項８０】
請求項７８に記載のシステムにおいて、前記無線周波数チューナは、前記スイッチングシステムによって前記アンテナ素子に選択的に接続される、アンテナフィード処理システム。
【請求項８１】
アンテナフィードを処理する方法であって、
アンテナ素子を用いてコンテンツ無線放送を受信することと、
前記アンテナ素子からの前記アンテナフィードを復調して、前記アンテナ素子によって受信された前記コンテンツ無線放送に対するコンテンツデータを生成するように、アンテナ処理パイプラインを提供することと、
スイッチングシステムを用いて前記アンテナ素子それぞれを前記アンテナ処理パイプラインのうちのいずれか１つに接続することとを含む、方法。
【請求項８２】
請求項８１に記載の方法において、コンテンツに対するユーザ要求を満たすために前記コンテンツデータを生成するように、前記スイッチングシステムを設定することさらに含む、アンテナフィード処理方法。
【請求項８３】
請求項８１に記載の方法において、前記アンテナフィードを復調する前記パイプラインのそれぞれは復調器を含み、当該方法は、前記アンテナ素子からの前記アンテナフィードを復調するように復調器の群から選択することをさらに含む、アンテナフィード処理方法。
【請求項８４】
請求項８３に記載の方法において、復調器の前記群からの前記復調器のいずれもが利用可能でない場合、代替の復調器を探索することをさらに含む、アンテナフィード処理方法。
【請求項８５】
請求項８４に記載の方法において、前記代替の復調器に前記アンテナ素子を接続して追加のアンテナ処理パイプラインを生成するように、前記スイッチングシステムを設定することをさらに含む、アンテナフィード処理方法。
【請求項８６】
請求項８１に記載の方法において、前記アンテナ素子をユーザに一時的に割り当てることをさらに含む、アンテナフィード処理方法。
【請求項８７】
請求項８１に記載の方法において、前記アンテナ素子を、特定のユーザのユーザアカウントの存続期間中、当該特定のユーザの専用とすることをさらに含む、アンテナフィード処理方法。
【請求項８８】
請求項８１に記載の方法において、前記アンテナ素子からの前記アンテナフィードを復調する前記パイプラインは、無線周波数チューナを含み、各無線周波数チューナは、前記アンテナ素子それぞれが異なるコンテンツ無線放送を受信できるように個別にチューニング可能である、アンテナフィード処理方法。
【請求項８９】
請求項８８に記載の方法において、前記無線周波数チューナは、前記アンテナ素子に直接接続される、アンテナフィード処理方法。
【請求項９０】
請求項８８に記載の方法において、前記無線周波数チューナは、前記スイッチングシステムによって前記アンテナ素子に選択的に接続される、アンテナフィード処理方法。
【請求項９１】
アンテナ素子に処理パイプラインを割り当てる方法であって、
コンテンツ無線放送を受信するアンテナ素子をユーザの専用にすることと、
コンテンツに対するユーザ要求に応答して、前記コンテンツ無線放送を復調するための利用可能な処理パイプラインを探索することと、
処理パイプラインを捜し出すと、前記ユーザの専用のアンテナ素子に前記処理パイプラインを割り当てて、前記ユーザの永久に割り当てられたアンテナ素子に前記処理パイプラインを接続することとを含む、処理パイプライン割当て方法。
【請求項９２】
請求項９１に記載の方法において、前記処理パイプラインは、前記ユーザの永久に割り当てられたアンテナ素子にスイッチングシステムを用いて接続される、処理パイプライン割当て方法。
【請求項９３】
請求項９１に記載の方法において、前記無線コンテンツは、前記ユーザの永久に割り当てられたアンテナを用いて受信される、処理パイプライン割当て方法。
【請求項９４】
請求項９１に記載の方法において、前記割り当てられた処理パイプラインは、前記無線コンテンツをコンテンツ送信として復調する、処理パイプライン割当て方法。
【請求項９５】
請求項９４に記載の方法において、前記コンテンツ送信をユーザ装置にストリーミングすることをさらに含む、処理パイプライン割当て方法。
【請求項９６】
請求項９１に記載の方法において、前記アンテナ素子を前記ユーザにリースすることをさらに含む、処理パイプライン割当て方法。
【請求項９７】
請求項９１に記載の方法において、前記アンテナ素子を前記ユーザに売却することをさらに含む、処理パイプライン割当て方法。
【請求項９８】
無線放送を受信するプリント回路基板であって、
無線放送を受信するアンテナ素子と、
前記アンテナ素子のための無線周波数チューナであって、前記無線放送を別々に受信するように前記アンテナ素子を個別にチューニングする、無線周波数チューナと、
前記無線周波数チューナから前記無線放送の前記別々のコピーを受信し、前記無線放送をコンテンツデータに符号化する復調器と、
前記アンテナ素子からのフィードを異なる復調器に接続するセレクタスイッチとを含む、プリント回路基板。
【請求項９９】
請求項９８に記載のプリント回路基板において、前記アンテナ素子のうちの異なるアンテナ素子に前記無線周波数チューナを接続するセレクタスイッチをさらに含む、プリント回路基板。
【請求項１００】
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
個別のユーザの前記コンテンツ送信を検出するために専用とされるアンテナ素子と、
前記選択されたコンテンツ送信をコンテンツデータとして前記ユーザ装置にストリーミングするストリーミングサーバとを含む、システム。
【請求項１０１】
請求項１００に記載のシステムにおいて、前記アンテナ素子は前記ユーザに売却される、システム。
【請求項１０２】
請求項１００に記載のシステムにおいて、前記アンテナ素子は前記ユーザにリースされる、システム。
【発明の詳細な説明】
【関連出願】
【０００１】
本出願は、２０１０年１１月１８日に出願された米国仮出願第６１／４１５，０１２号、２０１０年１２月１４日に出願された米国仮出願第６１／４２２，９５０号、および２０１１年９月１３日に出願された米国仮出願第６１／５３３，９４６号の３５ＵＳＣ  １１９（ｅ）による利益を主張し、これらの全ての内容が参照により本願明細書に援用される。
【背景技術】
【０００２】
地上波テレビまたは放送テレビとも称される大気外テレビ（無線テレビ）は、大気雰囲気を通る無線周波数（ＲＦ）の電磁波または電磁放射を介したテレビコンテンツのための配信モードである。無線コンテンツ（air content）を放送する米国の周知のテレビジョンネットワークのいくつかの例としては、ＡＢＣ、ＣＢＳ、ＦＯＸ、ＮＢＣおよびＰＢＳが挙げられる。一連の系列会社の局を通して、これらネットワークは、放送されるコンテンツを国に行き渡らせることが可能である。そのため、これらテレビジョンネットワークは、それぞれ、米国の全家庭の９５％超に届くことができる。
【０００３】
テレビジョンネットワークは、新しい顧客を魅了し視聴者数を上げる方法を常に模索している。最近では、テレビジョンネットワークの中には、インターネットのような公衆データ網や私設データ網を介して人々がアクセスできるように、自社の番組をオンラインで提供するものがある。一般的には、テレビジョンネットワークは、自社のウェブサイトまたはＨＵＬＵ．ＣＯＭのような第三者ウェブサイトにコンテンツをアップロードする。これらウェブサイトは、時には課金して、ユーザにコンテンツをストリーミングする。今日、利用可能なコンテンツはしばしば制限され、時には、最新のエピソードは入手不可能であったり、コンテンツが古いものであったりする。
【０００４】
同時に、音声やビデオコンテンツを再生できる多種多様な装置が利用可能である。ユビキタスレビに加えて、今や多くの人が自分のパーソナルコンピュータや、スマートフォンおよびタブレット型コンピュータなどの携帯型コンピュータ装置でビデオを視聴する。ビデオコンテンツは、通常、加入者データネットワーク、携帯電話ネットワークならびに公衆および私設の無線データネットワークを使用して、インターネットを介してアクセスされる。さらに、テレビによっては今やネットワーク接続を有するものもある。そして、多くのゲーム機は、Ｎｅｔｆｌｉｘ社によって提供されるような第三者ソフトウェアを使用して、ビデオコンテンツにアクセスする能力を有する。
【発明の概要】
【０００５】
ビデオを視聴するためのこのような全ての新規の様式があるにもかかわらず、従来のテレビジョンネットワークによる無線コンテンツ放送は、ケーブルテレビへの加入や衛星テレビシステムを通じて、または家庭に設置したアンテナで無線放送（air broadcast）をキャプチャすることによってしか、まだ一般に利用できない。ケーブルに加入しないユーザまたはケーブルアクセスを有しないユーザに対しては、この放送コンテンツをキャプチャするために、自分自身のＲＦまたは衛星アンテナを設置することが一般に要求される。そして、このキャプチャされたコンテンツは、従来のテレビでの表示に供するだけである。ユーザが自分の他のビデオ表示可能な装置でこのコンテンツを利用できる簡単な方法は、一般には存在しない。
【０００６】
本システム及び方法は、インターネットおよび／またはサービスプロバイダネットワークなどのネットワーク接続上の個別のアンテナフィード（アンテナが供給するテレビ放送）にユーザが別々にアクセスできるようにする手法に関する。各ユーザには、個々のユーザ自身用の、別々のアンテナのようなアンテナが割り当てられる。そして、ユーザは、このアンテナから、無線放送からのコンテンツ送信（送信されてくるコンテンツ）を録画および／またはストリーミングできる。この割当ては、ユーザが録画を開始したときに行われてもよく、または、ユーザが行う任意または全ての視聴および録画のための、ユーザ専用の特定のアンテナを独占的にユーザに割り当ててもよい。ユーザがコンテンツ送信を選択すると、個別のアンテナは、その放送コンテンツを受信する。ユーザの選択に応じて、システムは、ユーザの個別のアカウントそれぞれに当該ユーザが後に再生できるようにコンテンツデータを別々に格納する。システムは、さらに、または代わりに、前記別々のユーザに前記コンテンツデータをストリーミングする。このようにして、ユーザは、自分自身のアンテナ設備を持たずに放送コンテンツにアクセスでき、また、無線放送に直接アクセスするのに必要なチューナおよび復号器を有しない、例えばモバイル装置のような装置上で、放送コンテンツにアクセスできる。
【０００７】
アンテナ割当ては、動作モードに従い、永久的または一時的なもののいずれかである。一方のモードにおいて、ユーザが、無線コンテンツを受信すること、または後の視聴のために無線コンテンツを録画することを選択すると、対応するアンテナ素子および符号化リソースが即座にユーザに割り当てられる。その後、アンテナ素子がもはや必要でなくなると、当該リソースは、リソースプールに返却され、他のユーザが利用できるようになる。他方のモードにおいて、ユーザは、特定のアンテナ素子をリースまたは購入する。この場合、それらアンテナ素子は、特定のユーザに独占的に割り当てられて、これらのユーザの要求を満たすように使用される。一例において、アンテナ素子は、これらのユーザのアカウントの存続期間中、当該ユーザにリースされる。
【０００８】
概して、本発明の一構成は、無線放送からのコンテンツ送信をユーザ装置にストリーミングする方法に関し、この方法は、利用可能なコンテンツ送信のリストをユーザに提示することと、前記利用可能なコンテンツ送信の中から選択されたコンテンツ送信を受信する要求を、前記ユーザから受信することと、個別ユーザそれぞれ用のアンテナ素子を用いて前記選択されたコンテンツ送信を受信することと、前記選択されたコンテンツ送信を前記ユーザ装置にストリーミングすることとを含む。
【０００９】
いくつかの実施形態において、前記アンテナ素子は、放送事業体から前記選択されたコンテンツ送信を受信するためにチューニングされる。前記アンテナ素子からのフィードは、コンテンツ送信データを生成するために復調される。次に、前記コンテンツ送信のデータは、ＭＰＥＧ−２からＭＰＥＧ−４の符号化へのトランスコードのように、異なる符号化にトランスコードされる。前記コンテンツ送信データは、また、２つ以上の異なる解像度にトランスコードされてもよい。
【００１０】
一般的に、前記トランスコードされたコンテンツ送信データは、前記ユーザ装置の解像度に基づいて決定される解像度で前記ユーザ装置にストリーミングされる。
【００１１】
一実施形態において、前記選択されたコンテンツ送信は、前記選択されたコンテンツ送信を前記ユーザにストリーミングするよりも前に、ファイル格納部に格納される。このコンテンツ送信は、また、個別のユーザそれぞれ用の別々の位置に格納される。
【００１２】
一例において、前記アンテナ素子は、いずれのアンテナ素子が前記ユーザの前記選択されたコンテンツ送信を受信するために最適化されているかに基づいて、利用可能なアンテナ素子から前記ユーザに割り当てられる。
【００１３】
一般的に、利用可能なコンテンツ送信の前記リストは、前記ユーザそれぞれの地理的位置において利用可能な前記無線放送に基づく。
【００１４】
あるモードにおいて、アンテナ素子は、ユーザがコンテンツ送信に対する要求を行うと即座に割り当てられる。別のモードにおいて、コンテンツ送信に対する前記要求を満たすために使用されるアンテナ素子は、ユーザに専用である。
【００１５】
概して、本発明の別の構成は、コンテンツ送信をユーザ装置にストリーミングするシステムに関し、このシステムは、利用可能なコンテンツ送信のリストをユーザに提示するアプリケーションサーバを含み、前記アプリケーションサーバは、前記利用可能なコンテンツ送信の中から選択されたコンテンツ送信を受信する要求を、前記ユーザ装置から受信する。前記システムは、個別のユーザそれぞれのために前記選択されたコンテンツ送信を受信するようにアンテナ素子を制御するアンテナ制御部と、前記選択されたコンテンツ送信をコンテンツデータとして前記ユーザ装置にストリーミングするストリーミングサーバとをさらに含む。
【００１６】
概して、本発明の別の構成は、無線放送をキャプチャするシステムに関し、このシステムは、コンテンツ送信の無線放送を受信するアンテナ素子のサブアレイを含み、アンテナ素子の各サブアレイは、異なる放送事業体から無線放送を受信するように最適化される。前記システムは、前記放送事業体からのコンテンツ送信に対するユーザ要求を受信するアプリケーションサーバと、前記ユーザによって要求された前記コンテンツ送信を生成する前記放送事業体を検出するためにアンテナ素子のいずれのサブアレイが最適化されるかに基づいて、前記ユーザそれぞれに個別のアンテナ素子を割り当てるアンテナ制御部とをさらに含む。
【００１７】
概して、本発明の別の構成は、無線放送をキャプチャする方法に関し、この方法は、アンテナ素子のサブアレイを用いてコンテンツ送信の無線放送を受信することを含み、アンテナ素子の各サブアレイは、異なる放送事業体から無線放送を受信するように最適化される。前記方法は、前記放送事業体からのコンテンツ送信に対するユーザ要求を受信することと、前記コンテンツ送信を生成する前記放送事業体を検出するために前記サブアレイのうちのいずれが最適化されるかに基づいて、前記ユーザそれぞれのために前記コンテンツ送信を受信するために、前記サブアレイの中から個別のアンテナ素子を割り当てることとをさらに含む。
【００１８】
概して、本発明の別の構成は、コンテンツ送信をユーザ装置にストリーミングするシステムに関し、このシステムは、利用可能なコンテンツ送信のリストをユーザに提示するアプリケーションサーバを含み、前記アプリケーションサーバは、前記利用可能なコンテンツ送信の中から選択されたコンテンツ送信を受信する要求を、前記ユーザ装置から受信する。アンテナ制御部は、個別のユーザのために前記選択されたコンテンツ送信を受信するようにアンテナ素子を制御し、かつ、ユーザが将来見たいと思うであろうとアンテナ制御部が予測するコンテンツ送信を受信するために、ユーザによって現在使用されていないアンテナ素子を割り当てる。最後に、ストリーミングサーバは、前記選択されたコンテンツ送信をコンテンツデータとして前記ユーザ装置にストリーミングし、かつ、あるユーザが前記予測されたコンテンツ送信のうちの１つを視聴することを所望すると、前記アンテナ素子からのフィードによって生成される前記コンテンツデータが、当該ユーザに割り振られて当該ユーザにストリーミングされる。
【００１９】
前記コンテンツデータは、前記無線放送を要求した前記ユーザに関連づけられ、格納装置に格納される。ユーザがリアルタイムで無線放送を見たい場合には、前記放送ファイル格納部は、一般的にはバッファとして作用し、前記コンテンツを前記ユーザ装置にストリーミングする前に、前記コンテンツデータを一時的に格納する。あるいは、前記コンテンツデータは、各ユーザの個別のアカウントと関連付けられ、後の再生の際に将来アクセスされる。
【００２０】
概して、本発明の別の構成は、録画済みコンテンツ送信をユーザ装置にストリーミングする方法に関し、この方法は、コンテンツデータとして前記コンテンツ送信を放送ファイル格納部に格納することを含み、前記コンテンツデータは、個別の前記ユーザそれぞれに対して一意的に割り振られ、かつアンテナフィードからの無線放送をキャプチャすることによって生成される。前記方法は、前記ユーザそれぞれの要求により録画された録画済みコンテンツ送信のリストを前記ユーザに提示することと、前記ユーザによる選択に応答して、前記録画済みコンテンツ送信に対する前記コンテンツデータにアクセスし、前記対応するユーザ用のユーザ装置に前記コンテンツデータをストリーミングすることとをさらに含む。
【００２１】
いくつかの実施形態において、放送ファイル格納部内の前記格納されたコンテンツ送信は、前記ユーザのユーザアカウントの存続期間中、または前記コンテンツ送信の存続期間中のみ、前記ユーザそれぞれに対して一意的に割り当てられるアンテナ素子を用いて、キャプチャされる。
【００２２】
好ましくは、前記コンテンツ送信をキャプチャしたアンテナ素子は、前記放送ファイル格納部内の前記コンテンツデータで識別される。さらに、前記録画済みコンテンツ送信は、少なくとも２つの解像度で好ましくは格納される。
【００２３】
一般的には、前記ファイル格納部に格納される各コンテンツデータは、前記コンテンツデータが割り振られている前記ユーザを識別するユーザ情報によって識別される。これらはまた、前記コンテンツデータの生成の元となる前記無線放送がキャプチャされた時刻を識別する時刻情報によって識別されてもよい。
【００２４】
概して、本発明の別の構成は、録画済みコンテンツ送信をストリーミングするシステムに関し、このシステムは、ユーザの別々のアカウントへのアクセスを提供するアプリケーションサーバを含み、前記アプリケーションサーバは、アンテナフィードからの無線放送をキャプチャすることによって前記別々のユーザそれぞれの要求により録画された、録画済みコンテンツ送信のリストを前記ユーザに提供する。前記システムは、ストリーミングサーバをさらに含み、このストリーミングサーバは、前記録画済みコンテンツ送信に対するコンテンツデータにアクセスし、コンテンツデータは、前記ユーザそれぞれに別々に一意的に割り振られており、ストリーミングサーバは、また、前記コンテンツデータを前記ユーザの装置にストリーミングする。
【００２５】
概して、本発明の別の構成は、録画済みコンテンツ送信を格納するファイル格納部システムに関し、このシステムは格納されたコンテンツデータを含む。コンテンツデータは、アンテナフィードからの無線放送からキャプチャされたコンテンツ送信から生成される。
【００２６】
前記システムを可能にするために重要なことは、物理的にコンパクトなアンテナシステムを生成することである。
【００２７】
概して、本発明の一構成は、アンテナシステムに関し、このアンテナシステムは、無線放送を別々に受信するアンテナ素子の２次元アレイであって、１平方メートルにつき少なくとも１０のアンテナ素子の密度を有する、アンテナ素子の２次元アレイと、前記別々のアンテナ素子によって受信された無線放送を、データ格納システムに格納されるコンテンツデータに変換するエンコーダシステムとを含む。
【００２８】
いくつかの実施形態において、前記アンテナ素子は無指向性アンテナ素子であり、特に、前記アンテナ素子は対称２重ループアンテナ素子である。
【００２９】
さらに、アンテナ素子の前記２次元アレイの複数が、互いに隣接する前記複数の２次元アレイを支持する筐体とともに好ましくは使用される。このようにして、アンテナ素子の前記複数の２次元アレイが、前記筐体内に３次元アレイを形成する。
【００３０】
この例において、アンテナ素子の前記２次元アレイおよび前記エンコーダシステムの少なくとも一部が、共通の回路基板に実装される。前記エンコーダシステムは、前記回路基板に実装された復調器を含む。無線周波数チューナは、前記２次元アレイの前記アンテナ素子をチューニングするために使用される。アンテナ素子の前記２次元アレイおよび前記無線周波数チューナは、共通の回路基板に実装されてもよい。
【００３１】
密度に関して、前記回路基板は、少なくとも５０のアンテナ素子を好ましくは含み、前記アンテナ素子は１平方メートルにつき少なくとも５０のアンテナ素子の密度を有する。
【００３２】
概して、本発明の別の構成は、アンテナ素子のアレイを用いて無線放送を受信する方法に関し、この方法は、前記無線放送を受信するアンテナ素子の２次元アレイであって、１平方メートルにつき少なくとも１０のアンテナ素子の密度を有する、アンテナ素子の２次元アレイを提供することをさらに含む。前記方法は、アンテナ素子の前記アレイを用いて前記無線放送を受信することと、データ格納装置に格納されるコンテンツデータに前記無線放送を符号化することとをさらに含む。
【００３３】
特に、アンテナが特定のユーザにリースされるか、または特定のユーザの専用にされるモードでは、特定のユーザが前記システムにアクセスしていないときに使用されなくなるリソースの量を最小化することが望ましい。本システムでは、符号化リソースと、さらにチューニングリソースまでも共同利用することが可能であり、リソースが前記アンテナ素子間で割り当てられる。
【００３４】
概して、本発明の一構成は、アンテナフィードを処理するシステムに関し、このシステムは、コンテンツ無線放送を受信するアンテナ素子と、アンテナ処理パイプラインとを含み、前記パイプラインそれぞれは、前記アンテナ素子からの前記アンテナフィードを復調して、前記アンテナ素子によって受信された前記コンテンツ無線放送に対するコンテンツデータを生成する。前記システムは、前記アンテナ素子それぞれを前記アンテナ処理パイプラインのうちのいずれかに選択的に接続するスイッチングシステムと、前記コンテンツに対するユーザ要求を満たすように、前記スイッチングシステムを制御して前記コンテンツデータの生成を可能にするアンテナ制御部とをさらに含む。
【００３５】
概して、本発明の別の構成は、アンテナフィードを処理する方法を備え、この方法は、アンテナ素子を用いてコンテンツ無線放送を受信することと、前記アンテナ素子からの前記アンテナフィードを復調して、前記アンテナ素子によって受信された前記コンテンツ無線放送に対するコンテンツデータを生成するように、アンテナ処理パイプラインを提供することと、スイッチングシステムを用いて前記アンテナ素子それぞれを前記アンテナ処理パイプラインのうちのいずれかに１つに接続することとを含む。
【００３６】
概して、本発明の別の構成は、アンテナ素子に処理パイプラインを割り当てる方法に関し、この方法は、コンテンツ無線放送を受信するアンテナ素子をユーザの専用にすることと、コンテンツに対するユーザ要求に応じて、前記コンテンツ無線放送を復調するために利用可能な処理パイプラインを探索することとを含む。前記方法は、処理パイプラインを捜し出すとすぐに、前記ユーザの専用のアンテナ素子に前記処理パイプラインを割り当てて、前記ユーザの永久に割り当てられたアンテナ素子に前記処理パイプラインを接続することとをさらに含む。
【００３７】
概して、本発明の別の構成は、無線放送を受信するプリント回路基板に関し、このプリント回路基板は、無線放送を受信するアンテナ素子と、前記アンテナ素子のための無線周波数チューナであって、前記無線放送を別々に受信するように前記アンテナ素子を個別にチューニングする、無線周波数チューナと、前記無線周波数チューナから前記無線放送の前記別々のコピーを受信し、前記無線放送をコンテンツデータに符号化する復調器と、前記アンテナ素子からのフィードを異なる復調器に接続するセレクタスイッチとを含む。
【００３８】
概して、本発明の別の構成は、コンテンツ送信をユーザ装置にストリーミングするシステムに関し、このシステムは、利用可能なコンテンツ送信のリストをユーザに提示するアプリケーションサーバを含み、前記アプリケーションサーバは、前記利用可能なコンテンツ送信の中から選択されたコンテンツ送信を受信する要求を前記ユーザ装置から受信する。前記システムは、個別のユーザの前記コンテンツ送信を検出するのに専用であるアンテナ素子と、前記選択されたコンテンツ送信をコンテンツデータとして前記ユーザ装置にストリーミングするストリーミングサーバとをさらに含む。
【００３９】
構造の様々な新規な詳細および複数の部分の組み合わせを含む前記および他の本発明の特徴ならびに他の利点を、特に添付の図面を参照して以下に説明し、請求項に示す。本発明を具現化する特定の方法および装置は、例示のためのものであって、本発明を制限するものではないことを理解されたい。本発明の原理および特徴は、本発明の範囲を逸脱することなく様々な多くの実施形態に採用され得る。
【００４０】
添付の図面において、参照符号は、異なる図面の全体にわたって同一の部分を示す。図面は必ずしも正確な縮尺ではなく、本発明の原理を図示することに強調が置かれている。
【図面の簡単な説明】
【００４１】
【図１】地上波テレビコンテンツのキャプチャおよび配信のためのシステムを説明するブロック図である。
【図２】異なる放送事業体からの放送をキャプチャするために最適化される、異なるアンテナサブアレイを示す概略図である。
【図３】プリント回路基板（ＰＣＢ）上の２次元のアンテナアレイ用の筐体として機能するカードケージ構造体であって、複数の基板が３次元アレイを形成するように互いに隣接して支持されるカードケージ構造体の概略斜視図である。
【図４】プリント回路基板上のアンテナの２次元アレイを示す概略図である。
【図５】ＰＣＢ上の平衡型ループアンテナ（balanced loop antenna）および平衡伝送線路の対称性を示すＰＣＢ基板の側面図である。
【図６Ａ】図５のＡ−Ａ線から見た断面図である。
【図６Ｂ】図５のＢ−Ｂ線から見た断面図である。
【図７】ユーザがライブストリーミングコンテンツを視聴するステップ、ユーザが録画予約を設定するステップ、またはユーザが以前に録画済みのコンテンツを視聴するステップを説明する流れ図である。
【図８】ユーザが再生サーバから自分の以前に録画済みのコンテンツを視聴するステップを説明する流れ図である。
【図９】ユーザが無線放送の録画予約をスケジュールするステップを説明する流れ図である。
【図１０】ユーザが無線コンテンツを装置でリアルタイムに視聴するステップを説明する流れ図である。
【図１１】放送コンテンツデータを放送ファイル格納部に格納するデータベースアーキテクチャを示す図である。
【図１２】プールされた受信機リソースを利用するテレビコンテンツのキャプチャおよび配信のためのシステムの実施形態を示す概略ブロック図である。
【図１３】アプリケーションウェブサーバおよびアンテナ最適化・制御部が他のプリント回路基板上に位置するリソースをいかに探索するかを説明する流れ図である。
【発明を実施するための形態】
【００４２】
図１は、本発明の原理に従って構築されたシステム１００を示す。このシステム１００は、個々のユーザがインターネットのようなパケット網を介してアンテナから地上波テレビコンテンツを受信できるようにする。本システムにより、各ユーザは、録画またはライブストリーミングを行うために個々に割り当てられたアンテナからのフィードに別々にアクセスできる。
【００４３】
一般的な実装形態において、ユーザは、クライアント装置１２８、１３０、１３２、１３４を用いて、インターネット１２７を介してシステム１００にアクセスする。一例において、クライアント装置は、ブラウザを介してシステム１００にアクセスするパーソナルコンピュータ１３４である。ビデオコンテンツは、ＨＴＭＬ−５またはアップル ＣｏｒｐｏｒａｔｉｏｎによるＱｕｉｃｋＴｉｍｅのようなプログラムを使用して、パーソナルコンピュータに表示される。他の例において、システム１００は、モバイル装置によってアクセスされる。このモバイル装置には、ｉＰａｄのようなタブレット、携帯型コンピュータ装置、ｉＰｈｏｎｅのような携帯電話、コンピュータ装置、またはＧｏｏｇｌｅ  Ｉｎｃ．のＡｎｄｒｏｉｄオペレーティングシステムを実行する携帯型コンピュータ装置などが含まれる。ここで、ＨＴＭＬ−５もまた、ビデオを提供するためにいくつかの実装形態で使用される。他の例は、ネットワークインタフェースおよびブラウザ機能を有するテレビである。さらに、現代のゲーム機のほとんど、およびテレビのうちのいくつかも、第三者ソフトウェアを実行する能力を有しており、ウェブのブラウザ機能を提供する。このブラウザ機能は、ネットワーク接続を介してシステム１００からビデオにアクセスするように配備される。
【００４４】
アプリケーションサーバ１２４は、クライアント装置１２８、１３０、１３２、１３４からのこれら要求または命令を管理する。これにより、ユーザは、クライアント装置において、以前に録画済みのコンテンツ（すなわちテレビ番組）を視聴するか、またはこれにアクセスすることと、テレビ番組の放送の録画予約を設定することと、生放送テレビ番組を視聴することとのいずれを行いたいかを選択できる。いくつかの例において、システム１００によって、ユーザは、ラジオ（オーディオのみの）放送にアクセスするか、さらにまたは代わりに、録音することもできる。ビジネス管理システム（経営管理システム）１１８は、ユーザのアカウントを照合するために、またはユーザがまだアカウントを持っていない場合にはユーザが新規アカウント設定するのを補助するために使用される。
【００４５】
以前に録画済みのコンテンツを視聴することをユーザが要求した場合、アプリケーションサーバ１２４は、ユーザの命令をストリーミングサーバ１２０に送信する。ストリーミングサーバ１２０は、放送ファイル格納部（またはファイル格納部）１２６から、各ユーザに個別の、以前に録画済みのコンテンツのコピーを読み出し、クライアント装置１２８、１３０、１３２、１３４にコンテンツデータをストリーミングする。
【００４６】
ユーザが録画予約の設定を要求した場合、アプリケーションサーバ１２４はアンテナ最適化・制御システム１１６と通信して、アンテナを確保しかつその録画予約の日時のリソースを符号化することによって所望の放送コンテンツをキャプチャおよび録画するように、放送キャプチャリソースを構成する。
【００４７】
一方、ユーザが生放送を視聴することを要求した場合、アプリケーションサーバ１２４およびアンテナ最適化・制御システム１１６は、すぐに使用できる利用可能なアンテナリソースを捜し出す。本実施形態において、全てのコンテンツはユーザによって開始される。この全てのコンテンツは、ライブストリーミングのためであるか録画予約のためであるかにかかわらず、ユーザに再生およびストリーミングする前にストリーミングサーバ１２０および／またはファイル格納部１２６に一時的に格納される。これにより、ユーザは、テレビ番組の複数の部分を一時停止したり再生したりでき、再度視聴するためにその番組を格納しておくこともできる。アンテナ最適化・制御システム１１６は、スケジュールされたテレビ番組の間中、またはセッションを閉じることによってもしくは制御システム１１６に実装されたタイマーが測る所定の時間が終了することによってユーザがアンテナを解放するような時刻までの連続使用期間中、ユーザへのアンテナの割当てを維持する。代わりに、各アンテナは、特定のユーザが専用使用するためにそのユーザに割り当てられるであろう。
【００４８】
システム１００の放送キャプチャ部は、アンテナ素子１０２−１、１０２−２…１０２−ｎのアレイ１０２を含む。これら要素１０２−１、１０２−２…１０２−ｎの各々は、異なる地上波テレビコンテンツ放送をキャプチャ可能な別々のアンテナであり、デジタル化および符号化パイプラインを通して、ユーザ装置へのライブストリーミングおよび／または格納を行うために、これらの放送を別々に処理する。この構成により、ユーザそれぞれに対して、異なる放送事業体からの無線放送を同時に録画できる。図示の例では、アンテナ素子の１つのアレイのみを示す。しかし一般的な実装形態では、複数のアレイが使用され、いくつかの実現手段では、アレイはグループに編成される。
【００４９】
より詳細には、アンテナ最適化・制御部１１６は、アンテナアレイ１０２のうちのいずれのアンテナ素子１０２−１〜１０２−ｎが利用可能で、ユーザが要求する特定の無線放送を受信するように最適化されるかを決定する。いくつかの例では、これは、異なるアンテナ素子のＲＳＳＩ（受信信号強度表示）値を比較することによって達成される。ＲＳＳＩは、受信する無線周波数信号、すなわち入力無線周波数信号のパワーの測定値である。したがって、ＲＳＳＩ値が高ければ高いほど受信信号は強い。
【００５０】
最適化されたアンテナ素子を捜し出した後、アンテナ最適化・制御部１１６は、このアンテナ素子をユーザに割り振る。次に、アンテナ最適化・制御システム１１６は、当該割り振られたアンテナ素子をチューニングして放送を受信するように、対応するＲＦチューナ１０４−１〜１０４−ｎに信号で伝える。
【００５１】
アンテナ素子１０２−１〜１０２−ｎと、これらに対応するチューナ１０４−１〜１０４−ｎとからそれぞれ受信された放送は、コンテンツ送信として符号化システム１０３に並行して送信される。符号化システム１０３は、割り振られたアンテナ１０２−１〜１０２−ｎとチューナ１０４−１〜１０４−ｎとのペアのために並列処理パイプラインを生成する、符号化部品からなる。
【００５２】
符号化システムは、処理パイプラインそれぞれに割り当てられたＡＴＳＣ（高度テレビジョン・システムズ委員会）復号器１０６−１〜１０６−ｎのアレイを使用して、アンテナ１０２およびチューナ１０４からの別々のコンテンツ送信をＭＰＥＧ−２形式に復調および復号化する。各放送搬送波信号が複数のコンテンツ送信を含む場合、アンテナ最適化・制御システム１１６は、搬送波信号に含まれる所望の番組を選択するように、ＡＴＳＣ復号器（または復調器）１０６−１〜１０６−ｎに信号を送信する。コンテンツ送信はＭＰＥＧ−２コンテンツ送信データに復号化されるが、これは、現在、ＭＰＥＧ−２が動画および関連づけられた音声情報の符号化のための標準形式であるからである。
【００５３】
ＡＴＳＣ復号器１０６−１〜１０６−ｎからのコンテンツ送信データは、マルチプレクサ１０８に送信される。次に、コンテンツ送信は、アンテナトランスポート相互接続を介してデマルチプレクサスイッチ１１０に伝送される。好ましい実施形態では、アンテナトランスポート相互接続は、ｎｘ１０ＧｂＥの光データトランスポート層である。
【００５４】
本実装形態では、アンテナアレイ１０２、チューナ１０４−１〜１０４−ｎ、復調器１０６−１〜１０６−ｎおよびマルチプレクサ１０８は、被覆体に入れられて建物の屋根の上またはアンテナ塔の上などの屋外に配置される。これらの構成要素は、このような設置の仕方に伴うであろう温度サイクルに対して比較的頑強に作ることができる。また、これらの構成要素は、放電または破壊によって損傷が生じた場合には損害を最小にできるように、比較的廉価である。
【００５５】
マルチプレクサ１０８、デマルチプレクサスイッチ１１０、およびｎｘ１０ＧｂＥデータトランスポートは、キャプチャされたコンテンツ送信データを、システムの他の部分に伝送するために使用される。このシステムの残りの部分は、地上の小屋または建物の地階などの安全な場所に好ましくは配置される。地上の小屋または建物の地階は、周囲環境をより良く制御する。
【００５６】
アンテナ処理パイプラインそれぞれのコンテンツ送信データは、格納およびストリーミングにとってより効率的な形式にトランスコードされる。ここでは、ＭＰＥＧ−４（Ｈ．２６４としても知られる）形式へのトランスコードが、トランスコーダ１１２−１、１１２−２…１１２−ｎのアレイによって行われる。一般的には、複数のトランスコーディングスレッドが、単一の信号処理コア、ＦＰＧＡまたはＡＳＩＣ型装置上で実行される。
【００５７】
コンテンツ送信データは、データフットプリントのビットレートおよびサイズを低減するために、ＭＰＥＧ−４形式にトランスコードされる。そのため、ＭＰＥＧ−４符号化へのコンテンツ送信データの変換は、コンテンツの画質または解像度を低減するであろうが、この低減は、通常、一般的な低解像度のビデオ表示装置では平均的なユーザが気付くほどではない。コンテンツ送信のサイズが低減されることにより、コンテンツ送信をユーザ装置に格納、転送およびストリーミングすることが容易になるであろう。同様に、本実施形態では、音声は、極めて効率的であることが知られているＡＡＣにトランスコードされる。
【００５８】
一実施形態では、トランスコードされたコンテンツ送信データは、パイプラインの、パケタイザおよびインデクサ１１４−１、１１４−２…１１４−ｎに送られる。このパケタイザおよびインデクサは、データをパケット化する。本実施形態において、パケットプロトコルは、状態なしのストリーミングプロトコルであるＵＤＰ（ユーザーデータグラムプロトコル）である。ＵＤＰは、信頼性の劣るサービスを提供する簡単な送信モデルである。なぜなら、データグラムが、順序どおりでなく到着しても、重複しても、紛失してもよいからである。通常、このプロトコルは、ファイルのストリーミングのような時間に敏感な送信に好適である。この場合、紛失または重複したパケットは欠落させてもよく、遅延パケットを待つ必要がない。
【００５９】
また、この処理においては、時間インデックス情報がコンテンツ送信に付加される。次に、コンテンツデータは、ファイルシステムに格納するために放送ファイル格納部１２６に転送される。放送ファイル格納部１２６は、コンテンツ送信を、ユーザによってキャプチャされた様々なテレビ番組のためのコンテンツデータとして格納および／またはバッファリングするために使用される。
【００６０】
別の実施形態では、コンテンツデータは、ＨＴＴＰ  Ｌｉｖｅ  ＳｔｒｅａｍｉｎｇまたはＨＴＴＰ  Ｄｙｎａｍｉｃ  Ｓｔｒｅａｍｉｎｇとしてストリーミングされる。これらは、クライアント装置に依存するストリーミングプロトコルである。ＨＴＴＰ  Ｌｉｖｅ  Ｓｔｒｅａｍｉｎｇは、アップル社によって同社のＱｕｉｃｋＴｉｍｅ  ＸおよびｉＰｈｏｎｅソフトウェアシステムの一部として実装される、ＨＴＴＰベースのメディアストリーミング通信プロトコルである。ストリームは、一連のＨＴＴＰベースのファイルダウンロードに分割される。
【００６１】
図２は、アンテナアレイ１０２の一実現手段を示すブロック図である。アンテナアレイ１０２は、異なるサブアレイ８０２、８０４を含む。通常、異なるサブアレイは、異なる放送事業体８０６、８０８から地上波放送をキャプチャする。
【００６２】
サブアレイ８０２、８０４それぞれは、何百または何千のアンテナ素子１０２−１〜１０２−ｎおよびチューナ１０４−１…１０４−ｎを含む。通常、アンテナ素子およびチューナは、プリント回路基板（ＰＣＢ）に搭載され、被覆体内または筐体内に配置される。プリント回路基板の向きおよび位置に従って、異なるアンテナサブアレイ８０２、８０４は、異なる放送事業体８０６、８０８から放送を受信するように最適化される。これは、異なるテレビジョンネットワークが、無線放送を符号化する搬送波または無線周波数送信を生成するために、異なる放送事業体またはアンテナ８０６、８０８を使用するからである。一般的には、放送用アンテナ８０６、８０８がほとんどの大都市圏に分散して異なる場所に配置されることが多い。その一方、アンテナアレイ１０２は、物理的に小さく、高いアンテナ密度を有することが好ましい。このため、アンテナ素子１０２を物理的に小さくしようという要望が生まれる。しかし、小型アンテナは、一般的には電力利得が低い。したがって、一実施形態においては、システム１００は物理的に隔てられた２つ以上のアンテナサブアレイ８０２、８０４を含む。これらアンテナサブアレイ８０２、８０４は、異なる放送事業体８０６、８０８の送信塔に配置されて、ここからシステム１００が無線放送送信を検出する。
【００６３】
運用中、アンテナ最適化・制御システム１１６は、放送事業体８０６、８０８の位置、アンテナサブアレイの位置、および／またはサブアレイが受信する信号強度を含む種々の要因に基づき、所望のコンテンツ放送を放送事業体８０６、８０８から受信するためにいずれのアンテナサブアレイ８０６、８０８を最適化するかを決定する。そして、アンテナ最適化・制御システム１１６は、所望の放送コンテンツを受信するために、最善の位置にあるサブアレイ８０２、８０４の中で利用可能なアンテナ素子１０２を割り当てる。
【００６４】
また、いくつかの実施形態では、アンテナサブアレイ８０２、８０４は、周波数範囲ＶＨＦおよびＵＨＦに従ってグループに編成されることがさらに好ましい。これは、アンテナ素子の物理的要件が、受信できる周波数によって異なるからである。
【００６５】
図１および２を参照して、サブアレイ８０２、８０４それぞれにおけるアンテナ素子１０２の配置は、いくつかの点でフェーズドアレイアンテナに類似している。しかし、フェーズドアレイアンテナでは、アンテナ素子は、制御された放射の放出パターンまたは検出パターンを生成するために、一般的には共通源から駆動されるか、または共通の検出チャネルに接続される。これとは対照的に、本システムでは、異なるアンテナ素子１０２−１〜１０２−ｎは、別々に調整可能なチューナ１０４−１〜１０４−ｎを有しており、異なる周波数の異なる無線放送を同時に受信するように制御され最適化される。これら異なる無線放送は、異なる放送事業体８０６、８０８からの場合もある。さらに、異なるアンテナ１０２−１〜１０２−ｎおよびチューナ１０４−１〜１０４−ｎは、同一放送のコンテンツ送信の複数のコピーを同時にキャプチャすることが可能である。これは、異なるユーザが同一のテレビ番組を録画または見たいときに生じる。その結果、各ユーザは、放送コンテンツデータの固有のコピーを有することになるが、これら固有のコピーは、異なるアンテナから生成されて放送ファイル格納部１２６に別々に格納されたものである。また、万一これらのアンテナ素子のうちの１つが物理的または電気的に損なわれて使用不能となった場合、その特定のユーザのストリームの生成および受信が中止される。
【００６６】
図３は、アンテナアレイＰＣＢ（またはＰＣＢアンテナアレイ）１５２−１、１５２−２…１５２−ｎを収容する、カードケージ構造体１５１の図である。
【００６７】
好ましい実施形態において、複数のＰＣＢアンテナアレイ１５２−１〜１５２−ｎは、カードケージ構造体つまり筐体１５１内に設置され、アンテナ素子１０２−１、１０２−２…１０２−ｎは、水平に向きを定められる。カードケージ１５１は、一般的には、被覆体の中でＰＣＢアンテナアレイ１５２−１〜１５２−ｎに機械的な支持および保護を提供する、被覆体または構造体である。カードケージ１５１は、一般に、ＰＣＢの設置および／または取り外しが容易なように設計される。さらに、カードケージが配置される位置においてアンテナ素子の密度をさらに上げるために、複数のカードケージが、ラックマウントシャーシ（図示せず）に収容されることが多い。
【００６８】
カードケージ構造体１５１の側壁、上壁、底壁および任意の前壁１５０が、ファラデーシールドを最小化するために、非導電性材料から、またはできるだけ少ない導電材料を用いて製造される。カードケージ１５１の前壁（外した状態で示してある）は、ＰＣＢアンテナアレイ１５２−１、１５２−２…１５２−ｎの設置および取り外しを可能とする、アクセスパネルを提供する。
【００６９】
後壁つまり後部は、データをトランスコーダに転送するｎｘ１０ＧｂａｓｅＴ光データトランスポートコネクタのようなデータトランスポートインタフェースと、機械的支持をＰＣＢアンテナアレイ１５２−１〜１５２−ｎに提供するコネクタとを含む。一般的には、カードケージ１５１は、最高８または最高３２のＰＣＢアンテナアレイを収容する。しかし別の実施形態では、より多い数またはより少ない数のＰＣＢアンテナアレイがカードケージに収容される。
【００７０】
一般に、ＰＣＢアンテナアレイ１５２−１〜１５２−ｎは、被覆体の中で約１インチ（２．５センチメートル）互いに離れている。この距離によって、アンテナ素子間の好ましくない干渉を許容レベルまで低減しつつ、ＰＣＢアンテナアレイ１５２−１〜１５２−ｎの比較的高い密度が可能となる。さらに、被覆体内に複数のＰＣＢアンテナアレイを配置することによってアンテナの３次元アレイが形成され、カードケージが配置される位置においてアンテナ素子の数が最大になる。
【００７１】
カードケージ１５１内のアンテナ素子１０２−１〜１０２−ｎは、水平偏波半無指向性アンテナアレイを形成するように、水平に向きを定められている。
【００７２】
一部のローカル局では、放送者から送信される信号が垂直偏波を有する。この場合には、アンテナ素子１０２−１〜１０２−ｎの向きを変更する必要がある。
【００７３】
ＰＣＢアンテナアレイ１５２−１、１５２−２…１５２−ｎは、誘電性絶縁体材料から製造される。部品がＰＣＢに搭載され、ＰＣＢ上の導電経路（つまりトラック）を介して接続される。一実施形態では、ＰＣＢは、およそ幅２５インチ、長さ２１インチ、すなわち約０．６メートル（ｍ）×０．５ｍである。
【００７４】
図４は、ＰＣＢアンテナアレイ１５２内のアンテナ素子１０２−１、１０２−２…１０２−ｎの２次元アレイ（四角のアレイとして示す）を説明する平面図である。
【００７５】
好ましい実施形態では、アンテナ素子１０２−１、１０２−２…１０２−ｎは、２次元アレイにおいてＰＣＢ１５２の両面に搭載される。なお、図４では、右端のアンテナ素子のみに参照符号が付されている。一実現手段において、各アンテナ素子１０２−１、１０２−２…１０２−ｎは、電気的に平衡のとれた左右対称のループである。アンテナ素子の間隔は小さく、ＰＣＢのアンテナ部上で０．１波長（ラムダ）よりもはるかに短い間隔で配列されている。好ましい実施形態では、アンテナ素子１０２−１、１０２−２…１０２−ｎは、低電力利得アンテナである。低利得アンテナが好ましいのは、これらが、送信事業体に対して正確に照準される必要がなくかつこれらの周波数／波長における高度に集積されたアレイに一般に要求される、広い放射パターンを有するからである。
【００７６】
さらに、好ましくは、アンテナ素子は、周波数範囲に従って異なるＰＣＢに配置されてもよい。これは、アンテナ素子の物理的特性が、受信する周波数によって異なるからである。このようにして、ＰＣＢ１５２は、ＶＨＦまたはＵＨＦのアンテナ素子を含む。別の実施形態において、アンテナ素子は多重共振で同一のＰＣＢ上にあってもよい。
【００７７】
アンテナ素子１０２−１、１０２−２…１０２−ｎは、ＰＣＢアンテナアレイ１５２の電子機器部１５４に、半田によって接続される。接地平面８１０が電子機器部１５４に設けられている。好ましい実施形態では、導電金属の接地平面は、この電子機器部から始まって両方向に延びる。
【００７８】
各アンテナ素子１０２−１〜１０２−ｎから無線周波数チューナ１０４−１〜１０４−ｎおよび復調器１０６−１〜１０６−ｎに信号を搬送するのは、平衡伝送線路８１２−１、８１２−２…８１２−ｎである。一実施形態では、個々のアンテナ素子１０２−１、１０２−２…１０２−ｎはそれぞれ、対応する無線周波数チューナ１０４−１、１０４−２…１０４−ｎおよび復調器１０６−１、１０６−２…１０６−ｎに接続される。したがって、アンテナ、無線周波数チューナおよび復調器が同一の数だけ存在する。
【００７９】
代わりの実施形態では、アンテナが必要に応じてチューナに割り当てられるように、チューナよりも多くのアンテナ素子が存在する。これにより、システムは、偏りや遅延を生じさせることなくストリームを提供できる。これは経済的な方法を提供するのにも役立ち、ユーザには、承認された時間使用の期間の全体を通して自分用のアンテナが、そのアンテナを積極的に使用しているか否かにかかわらず、保証される。これは、共同利用のチューナまたは共同利用の受信機と考えることができる。さらに別の実施形態において、システムは、共同利用の復調リソースを利用する。一般的には、復調器よりも３〜４倍多くのアンテナ素子がある。ただしこの比率は、アカウントをもつユーザの合計数、システムに同時にアクセスする平均ユーザ数、およびピーク時にシステムにアクセスするユーザ数に基づいて変動するであろう。
【００８０】
平衡伝送線路８１２は、長さに沿って等しいインピーダンスを有する同一材料タイプの２つの同一の導体を含む。平衡伝送線路が信号を搬送するために使用される。これは、周囲環境からの干渉雑音が両方の線路に等しく誘導され、同じ向きの電流になるからである。そのため、伝送線路の受信端で信号の差を測定することによって、原信号が復元される。
【００８１】
平衡不平衡変成器つまりバラン（図５を参照。参照符号９１４）が、アンテナ素子１０２−１、１０２−２…１０２−ｎからの平衡信号を不平衡信号に変換するために使用される。不平衡から平衡への変換により、信号が、無線周波数チューナ１０４−１、１０４−２…１０４−ｎ等の不平衡部品によってさらに処理できる。
【００８２】
運用中、無線周波数チューナ１０４−１、１０４−２…１０４−ｎは、所望の放送コンテンツ送信を受信するように、アンテナ素子１０２−１〜１０２−ｎをチューニングする。復調器１０６−１、１０６−２…１０６−ｎは、ＡＴＳＣ復調器／復号器を使用して、アンテナ素子１０２−１、１０２−２…１０２−ｎからの別々のコンテンツ送信を復調および復号化して、ＭＰＥＧ−２形式にする。ＭＰＥＧ−２は、動画およびこれに関連づけられた音声情報を符号化するための標準形式である。
【００８３】
一般的な実現手段において、カードケージ構造体１５１は、建物の屋根またはアンテナ塔に設置される被覆体内に配置される。マルチプレクサ回路１０８およびデータトランスポート制御部１６０は、ＰＣＢ光インタフェースコネクタ１６２に信号を搬送するために使用される。ＰＣＢ出力コネクタ１６２は、一般的には地上の小屋または建物の地階などの安全な場所に配置されるシステム１００の残りの部分に、信号を搬送する。
【００８４】
別の実装形態において、各ＰＣＢアンテナアレイ１５２は、（合計１６０ループの代わりに、）８０の２重ループアンテナ１０２−１〜１０２−ｎを含む。代わりの実施形態において、ＰＣＢは、（合計６４０ループの代わりに、）３２０のアンテナ、または（合計１２８０ループの代わりに、）６４０のアンテナ素子といったように、８０を超えるアンテナを保持することが可能である。各アンテナは、およそ高さ０．５インチ、幅０．５インチ、すなわち約１センチメートル（ｃｍ）×１ｃｍ、であり、厚さおよそ０．０３０インチ、すなわち約１ミリメートル（ｍｍ）である。本実施形態では、アンテナ素子は、およそ幅３．３、長さ１８インチ、すなわち約８ｃｍ×５０ｃｍの千鳥状の２次元マトリックスで編成される。一般に、マトリックスは、１ｍ×１ｍ未満であるべきであり、１０を超えるアンテナ素子、好ましくは５０を超える素子を有する。アンテナ素子も、およそ０．２８インチ（約０．７ｃｍ）の水平方向間隔およびおよそ０．６２インチ（１．５ｃｍ）の垂直方向間隔を有する。さらに、ＰＣＢアンテナアレイ１５２は、１．０９インチ（２．８ｃｍ）のラスター上にある。代わりの実施形態では、ＰＣＢアンテナアレイ１５２は、０．７５インチ（２ｃｍ）以下のラスター上にある。
【００８５】
さらに他の実現形態において、ＰＣＢアンテナアレイ１５２およびそれらのアンテナ素子は、大きさが異なる。一例において、ＰＣＢアンテナアレイ１５２の面積は、本実施形態での面積の約１／４（できれば１／８）またはそれ以下に低減される。アンテナ素子１０２でいえば、矩形ループとして構成された場合、４辺全部の合計長さが２．３インチ（５．８ｃｍ）の場合、３辺分の長さが好ましくは１．７インチ未満（４．３ｃｍ）である。本実施形態での大きさの１／４までアンテナ面積を縮小する場合には、ループの態様も、ＰＣＢ上で同一のピッチを維持するために変更し、高さを１／４縮小しなければならないであろう。同様に、アンテナ素子とラスターとの間隔もまた、ＰＣＢの大きさに従って低減されるであろう。さらに他の実施形態では、幾何学的に面積を１／４〜１／８に低減する。
【００８６】
図５は、両面ＰＣＢアンテナアレイ１５２上の平衡型ループアンテナ素子１０２および平衡伝送線路８１２、８１３の対称性の例を示すＰＣＢアンテナアレイ１５２の部分側面図である。
【００８７】
一般的な実現手段において、各アンテナ素子１０２のためのタップポイントは、所望の駆動インピーダンスに従っていくらか距離を離して位置づけられる。そして、２構成要素アンテナ素子１０２は、動作周波数でＰｉ（π）ラジアン位相をずらして駆動される。アンテナ素子の周波数は、２ループアンテナ素子１０２のループ端を接合するバラクタダイオード９０４、９０６のペアにかかる電圧を変えることによって、制御される。バラクタダイオードは、その端子に印加される電圧を変えることによって調整される制御可能なキャパシタンスを有するダイオードである。代わりの実施形態では、各アンテナ素子の周波数は、固定コンデンサおよび可変容量ダイオードによって制御される。
【００８８】
図５には、バラン９１４に接続された伝送線路８１２、８１３も示されている。バラン９１４は、平衡信号を不平衡信号に変換し、信号がＰＣＢアンテナアレイ１５２の電子機器部１５４の部品によって処理されるようにする。
【００８９】
図６Ａは、図５のＡ−Ａ線から見た断面図である。図６Ａは、ＰＣＢアンテナアレイ１５２の両側にある平衡伝送線路８１２、８１３の対称性を示す。一般的には、伝送線路８１２、８１３は、ＰＣＢ基板の上面および底面上に形成された導電性の銅の経路である。好ましい実施形態では、伝送線路８１２の１組が正の無線周波数信号を搬送し、ＰＣＢの反対側の対称の伝送線路８１３の対称の組が負の無線周波数信号を搬送する。
【００９０】
図６Ｂは、ループアンテナ素子１０２および同調用バラクタダイオード９０４、９０６の対称性を示す、図５のＢ−Ｂ線から見た断面図である。
【００９１】
図７は、ユーザがシステム１００にアクセスしてライブの無線コンテンツを視聴するか、録画予約を設定するか、または以前に録画済みのコンテンツを視聴するかのいずれかのステップを説明する流れ図である。第１のステップ３０２において、入力画面が、各ユーザのクライアント装置１２８、１３０、１３２、１３４を介してユーザに提示される。次のステップ３０４において、ユーザは、既にログオンしていない場合には、個々のユーザアカウントにアクセスするために自分のユーザ名およびパスワードを入力するように要求される。ユーザ名およびパスワードが誤っている場合には、ステップ３０６で、ユーザにエラー画面が提示される。
【００９２】
一旦ログオンすると、ステップ３０８において、ビジネス管理システム１１８が、ユーザが支払い請求に関して承認されているかを判断する。ユーザが支払い請求に関して承認されていない場合には、ステップ３１０において、課金加入者モデルがシステムに搭載されている場合には、アプリケーションサーバ１２４がセールストーク画面をユーザに提示する。ユーザが支払い請求について承認されている場合には、アプリケーションサーバ１２４は、ステップ３１２で、ユーザの地理的位置情報を取得する。
【００９３】
各ユーザの地理的位置は、多くの異なる方法を使用して判断および確認できる。一例において、各ユーザの位置は、当該ユーザのインターネットプロトコル（ＩＰ）アドレスによって決定されるであろう。他の例において、各ユーザの位置は、アカウントを作成するときユーザによって入力されるか、またはユーザが郵便番号を提供するときに、決定される。同様に、ユーザによって、またはユーザ装置内の全地球測位システム受信機からの緯度および経度座標によってアクセスされる携帯電話用中継塔からの情報もまた、他の例において使用される。この地理的位置情報によって、ウェブアプリケーションサーバ１２４は、ユーザの実際の位置または国内市場の位置に基づく情報を各ユーザに提示できる。
【００９４】
この地理的情報は必要である。なぜなら、異なるコンテンツが異なるテレビ市場間で異なる時間に放送され、コンテンツの中には、特定地理の市場内のユーザにしか利用できないものもあるからである。例えば、ニューヨーク市で利用可能ないくつかのコンテンツが、ロサンゼルスのユーザには利用できない。さらに、いくつかの実現手段において、システムは局所化（ローカリゼーション）を強制する。これによって、ユーザが、自分のホーム市場からのコンテンツ送信、またはユーザが自宅もしくは他の居住地に据付けた自分自身のアンテナを有する場合にユーザが利用できるコンテンツ送信にしか、アクセスできないようにする。
【００９５】
次のステップ３１４において、ユーザは、自己のユーザアカウントからいずれのコンテンツタイプにアクセスしたいかを選択できる。各ユーザは、自分自身の個別のアカウントを提供され、それを通して、ライブコンテンツストリーミングにアクセスしたり、ユーザのアカウントに関連付けて録画予約を設定したりする。同様に、以前に録画済みのコンテンツの再生はユーザのアカウントから行われ、ユーザのアカウントのコンテンツのみがユーザによってアクセス可能である。
【００９６】
ユーザが、自分の以前に録画済みのコンテンツを選択する場合、ユーザに、ステップ３１６において、録画済用画面を提示される。ユーザが録画予約を選択する場合、ユーザには、ステップ３２０において、録画予約を設定するための録画予約用画面が提示される。ユーザがライブストリーミングコンテンツを選択する場合、ユーザに、ステップ３１８において、ライブストリーム用画面が提示される。
【００９７】
図８は、ユーザが、自分の以前に録画済みのコンテンツをストリーミングサーバ１２０から視聴するステップを説明する流れ図である。ユーザは、ステップ３１６においてアプリケーションウェブサーバ１２４からユーザ装置に提供された録画済用画面から始める。この録画済用画面は、ウェブページであることが多い。他の例において、適切なインタフェースが、アプリケーションウェブサーバ１２４とユーザ装置上で動作しているアプリケーションプログラムとの間で使用される。
【００９８】
第１のステップ４０２において、ユーザには、自分の以前に録画済みのコンテンツデータのリストが提示される。ユーザは、自分がシステム１００に録画するように指示した、例えばテレビ番組等のコンテンツデータしか見ることができない。いくつかの例において、アプリケーションサーバ１２４は、ユーザが見たいまたは録画したいと思うような無線コンテンツを勧める。この場合もやはり、ユーザは、当該放送コンテンツを録画し保存する要求を開始しなければならない。
【００９９】
次のステップ４０４において、ユーザは、プレイリストに加えるために、以前に録画済みのコンテンツデータを選択する。ストリーミングサーバ１２０は、ステップ４０６において、放送ファイル格納部１２６内の以前に録画済みのコンテンツデータのユーザの固有のコピーを捜し出す。次のステップ４０８において、ストリーミングサーバ１２０は、ユーザの装置に基づいてユーザに提示する解像度を判断する。代わりの実施形態において、ユーザは、装置にかかわらず解像度を選択することが可能である。別の代わりの別の実施形態において、クライアント装置は、通信経路が確実に提供できる最高解像度を自動的に選択する。
【０１００】
次のステップ４１０において、ストリーミングサーバ１２０は、ユーザのプレイリストが完了するまで、プレイリスト内のコンテンツデータまたは録画済みのテレビ番組をユーザの装置にストリーミングする。
【０１０１】
図９は、ユーザが無線放送の録画予約をスケジュールするステップを説明する流れ図である。
【０１０２】
ユーザは、ステップ３２０において、アプリケーションウェブサーバ１２４からユーザ装置に提示された録画予約用画面から始める。
【０１０３】
第１のステップ２０４において、アプリケーションサーバ１２４は、（図７のステップ３１２において取得された）地理的位置情報に基づき、ユーザが利用できる局所化されたコンテンツを決定して表示し、局所化を可能にする。一般的には、ユーザには、利用可能なテレビジョンネットワーク、現時点での放送、および将来の放送の日時のリストが提示される。
【０１０４】
次のステップ２０６において、ユーザのコンテンツに対する要求が、アプリケーションサーバ１２４に送られる。アプリケーションサーバ１２４は、ステップ２０８において、当該コンテンツの放送時に利用可能なリソースをスケジュールするか、またはリソースが現在利用できないことをユーザに通知する。次に、アプリケーションサーバ１２４は、ステップ２０９において、アンテナ最適化・制御部１１６に、所望のコンテンツ放送の日時で最善の利用可能なアンテナ素子を割り振るように指示する。ただし、ユーザのアンテナが永久に割り当てられたものである場合には、このステップはスキップされる。次のステップ２１０において、アンテナ最適化・制御部１１６は、アンテナと受信機を関連づけ、放送コンテンツをＭＰＥＧ−２形式に復調する。
【０１０５】
システム１００によって、各ユーザは、放送コンテンツの録画予約を別々にスケジュールできる。加えて、各ユーザは、その放送コンテンツを受信するために、個々のアンテナを割り振られる。さらに、そして一般に、アプリケーションサーバ１２４は、スケジュールされた要求の数と録画の数が常に同じになるように、各ユーザの命令に基づいて録画をスケジュールする。これは、２人のユーザが全く同じコンテンツ送信の録画を要求したときでも同様である。システムは、各ユーザの個々のためにコンテンツ送信を別々にキャプチャして格納し、それによって、各ユーザが、別々のアンテナ素子から生成された自分固有のコピーをファイル格納部１２６内に有するようにする。
【０１０６】
ステップ２１２において、コンテンツ送信は、受信機の一部である割り当てられたトランスコーダへマルチプレクサおよびデマルチプレクサを介して伝送される。次のステップ２１４において、割り当てられたトランスコーダ１１２は、トランスコードされたコンテンツ送信データの高レート／解像度のビデオストリームおよび低レート／解像度のビデオストリームの両方を生成する。本実施形態において、トランスコードされたコンテンツデータはＭＰＥＧ−４形式に符号化され、音声はＡＡＣ（先進的音響符号化）形式にトランスコードされる。
【０１０７】
トランスコードされたコンテンツデータは、ステップ２１５において、高レート／解像度ビデオコンテンツデータおよび低レート／解像度ビデオコンテンツデータで、時間インデックス情報とともに放送ファイル格納部１２６に転送される。
【０１０８】
代わりの実施形態では、トランスコーダ１１２は、３つのレートの出力を生成する。一般に、この３つのレートは、トランスコードされたコンテンツデータの高、中、低のレート／解像度出力を含む。さらに他の実施形態では、より高い出力レートまたはより低い出力レートを有してもよい。この異なる出力レート／解像度によって、システム１００は、例えばいくつかの例を挙げるとすれば、ネットワーク能力、ユーザ装置、ユーザ選択などの要因に基づいて、異なる品質のビデオストリームを提供できるようになる。
【０１０９】
図１０は、ユーザが、所望のテレビ番組のコンテンツ送信の放送と同時にリアルタイムでユーザ装置において無線コンテンツを視聴するステップを説明する、流れ図である。
【０１１０】
ユーザは、アプリケーションウェブサーバ１２４からユーザ装置に提供されたライブストリーム用画面３１８から始める。ステップ６０２において、ユーザの地理的位置に基づき、利用可能なテレビ番組の無線放送のリストが提供される。さらに、放送日時もまた、ユーザに表示される。ステップ６０４において、ユーザは視聴するコンテンツを選択でき、ユーザのコンテンツに対する要求はアプリケーションサーバ１２４に送られる。ステップ６１２において、アプリケーションサーバ１２４は、アンテナ最適化・制御部１１６に、各ユーザのアンテナ素子の割当てを要求する。
【０１１１】
アンテナおよび／またはチューナが利用可能でない場合には、アプリケーションサーバ１２４は、ステップ６１４において、ユーザにビジー画面を返す。アンテナが利用可能な場合には、アンテナ最適化・制御部１１６は、ステップ６１５において、ユーザの要求それぞれに対して、無線放送を受信するのに最善の利用可能なアンテナを選択する。いずれのアンテナを使用するかの判断は、複数の要因に基づく。例えば、放送事業体の位置、アンテナ素子の位置、アンテナの向き、および信号強度は全て、いずれのアンテナ素子を使用するかを判断するために使用される要因である。ユーザのアンテナが永久に割り当てられており、要求を満たすにはリソースが不十分である場合には、システムはビジー画面を返す。
【０１１２】
アンテナが選択され無線放送が受信されると、その受信された無線放送は、エンコーダシステム１０３によって処理される。コンテンツ送信は、ステップ６１６において、復号器によってＭＰＥＧ−２形式に復号化される。次のステップ６１８において、コンテンツ送信データは、マルチプレクサ１０８およびデマルチプレクサ１１０を介してトランスコーダ１１２に送信される。ここで、一例において、割り当てられたトランスコーダ１１２は、高レートのＭＰＥＧ−４および低レートのＭＰＥＧ−４両方を生成し、音声は、ＡＡＣ（先進的音響符号化）形式にトランスコードされる。割り当てられたインデクサ１１４は、トランスコードされた放送コンテンツデータを時間インデックス情報とともに放送ファイル格納部１２６に格納する。
【０１１３】
次に、ステップ６２２において、ストリーミングサーバ１２０は、放送の間、放送ファイル格納部１２６からユーザのモバイル装置へ、放送コンテンツデータをバッファリングしてストリーミングする。
【０１１４】
一実施形態では、現在使用していないアンテナ素子は、近い将来にユーザが見たいと思うであろうとシステムが予測するコンテンツ放送またはテレビ番組を受信するために、割り振られる。これらの割り振られたアンテナからのフィードは、いずれのユーザにも送られない。この生成されたコンテンツデータは、それが生成される際に、または連続的に上書きされるファイル格納部の循環バッファに書き込まれる際に、システムによってそのまま廃棄される。しかし、あるユーザがこれらのプログラムのうちの１つを視聴することを望むと、前記アンテナ素子からのフィードによって生成されたコンテンツデータが、当該ユーザに割り振られ、当該ユーザにストリーミングされる。
【０１１５】
この手法の利点は、ユーザが新しいテレビ番組を視聴することを選択するかまたはライブストリーミング状態において異なるテレビ番組に変更するときに、符号化パイプラインが満たされるのをシステムが待つ必要がないことである。その代わりに、以前に廃棄されていたコンテンツデータを、今回このユーザに送信するだけでよい。これによって、例えばチャネルサーフィン等のチャネルの間切り替えの際に、より滑らかでより迅速な移行が提供される。
【０１１６】
図１１は、トランスコードされたコンテンツデータが放送ファイル格納部１２６においていかに個々のユーザ用に格納されるかを示す。
【０１１７】
図示の例において、各記録は、ユーザおよびトランスコードされたコンテンツデータを識別する情報を含む。例えば、ユーザ識別フィールドは、各ユーザおよび／またはユーザの個別のユーザアカウントを一意的に識別する。無線放送からキャプチャされコンテンツデータに変換されるあらゆるコンテンツ送信は、それを要求したユーザに関連付けられる。コンテンツ識別フィールドは、コンテンツ送信のタイトル（または名前）を識別する。一般に、コンテンツ名は、録画中の番組、ショーまたは映画のタイトルである。アンテナ識別フィールドは、ユーザが要求した無線放送をキャプチャするために割り当てられ使用された、特定のアンテナ素子を識別する。ネットワーク識別フィールドは、録画されたコンテンツ送信を放送する放送事業体を特定する。ビデオファイルフィールドは、トランスコードされたコンテンツデータまたは一般的にはこのデータの位置へのポインタを含む。このポインタは、トランスコードされ、高、中、低の品質として格納された放送コンテンツデータの格納位置（格納位置は複数の場合もある）を特定する。ファイル識別フィールドはさらに、個々のエピソード、映画、またはニュース放送を識別する。最後に、日時識別フィールドは、無線放送の日時を記録する。
【０１１８】
一例として、ユーザ１およびユーザ２は、固有のユーザＩＤを有し、両者ともあるテレビ番組の各自個別のコピーを有する。同様に、両ユーザは、同一ネットワーク上の同一時間の同一のテレビ番組の録画を要求した場合であっても、放送コンテンツデータおよびテレビ番組の自分自身のコピーを有する。ユーザ１は、自分のユーザＩＤに格納される自分のコンテンツデータを視聴することだけが可能であり、ユーザ２は、自分のユーザＩＤに格納されるコンテンツデータの自分のコピーを視聴することだけが可能である。同様に、各ユーザに割り当てられた特定のアンテナ素子もまた、記録される。
【０１１９】
さらに、ストリーミングサーバ１２０は、格納された放送コンテンツデータおよび前記識別フィールドに基づき、レポートを生成することが可能である。このレポートは、いくつか例を挙げるとすれば、個人による使用、グループによる使用、ユーザ数合計、アクティブユーザの数、スケジュールされた録画の数、ピーク時のシステム使用、システム全体のトータルの使用などの統計を含む。
【０１２０】
図１２は、アレイのアンテナ素子へのネットワークアクセスを提供するためのシステム１００の代わりの実施形態を示す。
【０１２１】
本例では、システム１００は、アンテナ最適化・制御システム１１６によって制御される、セレクタスイッチ１０５をさらに含む。このセレクタスイッチ１０５は、利用可能なアンテナ処理パイプラインにアンテナ１０２およびチューナ１０４を選択的に接続する。
【０１２２】
システム１００において、復調およびトランスコードするためのリソースは、アンテナ素子によって共同利用および共有される。この構成によって、システムは、より少ないハードウェアで多くのユーザにサービスを提供することが可能になる。さらに、より多くの電力量を消費する復調およびトランスコードハードウェアを離し、かつより少ないリソースを待機状態でアイドリングさせることによって、消費電力を低減しつつ、アンテナ素子の密度を上げることができる。
【０１２３】
一般に、ユーザは同時にシステムにアクセスしないので、リソースを共同利用すること（すなわち加入者数が超過していること）は、受け入れられる方策である。一般的には、大部分のユーザは、システムに現在アクセスしているわけではない。すなわち、何人かのユーザは、ライブストリーミングコンテンツを視聴しており、また何人かは放送の録画予約を設定しており、他の何人かは以前に録画済みのコンテンツを再生している。したがって、システムは、全てのユーザが同時にシステムにアクセスすることに対して備えおく必要はない。
【０１２４】
共同利用されるリソースをシステムが利用できるようにするために、セレクタスイッチ１０５またはスイッチングシステムが設けられる。アンテナ最適化・制御部１１６は、セレクタスイッチ１０５を制御して、アンテナ素子１０２によって受信された無線放送がリソースのプール（共同利用資源）からのリソースによって復調および符号化され得るようにする。復調および符号化リソースがもはや必要でなくなると、それらはリソースのプールに返される。
復調および符号化リソースよりも多くのアンテナが存在するため、アンテナ最適化・制御部１１６は、アンテナをユーザに割り振る前、またはユーザにユーザ専用アンテナへのアクセスを許可する前に、復調リソースが確実に利用可能であるようにしなければならない。したがって、ユーザがコンテンツに対する要求を行うと、アンテナ最適化・制御部１１６は、復調および符号化リソースとアンテナ素子が同一のアンテナアレイＰＣＢ上で利用可能であるか、または復調および符号化リソースが同一のＰＣＢおよびユーザ専用のアンテナ上で利用可能であるかを判断する。
【０１２５】
アンテナリソースが同一のアンテナアレイＰＣＢ上で利用可能でない場合には、アンテナ最適化・制御システム１１６は、他のアンテナアレイＰＣＢ上のリソースを探索する。いずれのリソースも利用可能でない場合、アンテナ最適化・制御部１１６は、ユーザの要求が今回完了できないことをアプリケーションサーバ１２４に知らせる。同様に、アプリケーションサーバは、ユーザの装置に対して、システムは現在ビジーであり要求は今回完了できないというメッセージを返す。
【０１２６】
一方、復調および符号化リソースが利用可能な場合には、ユーザにアンテナ素子が割り当てられ、受信された放送は、セレクタスイッチ１０５（またはスイッチマトリクス）を介して利用可能なリソースに伝送される。
【０１２７】
代わりの実施形態では、チューナ１０４−１〜１０４−ｎもまた、共同利用される。この構成において、利用可能なチューナは、必要に応じてアンテナ素子１０２に割り当てられる。セレクタスイッチ１０５はまた、アンテナの無線周波数出力を切替えるため、および互いに直接連結されるチューナおよび復調器の両方を選択するためにも使用される。
【０１２８】
好ましい実施形態において、セレクタスイッチ１０５の信号入力および信号出力は、低い中間周波信号、高い中間周波信号、ベースバンド信号、またはこれらのいずれかのデジタル表現である。
【０１２９】
一般的な実現手段では、アンテナ、チューナ、復調器、トランスコーダおよびインデクサが同数で示される、一実施形態では、アンテナ素子は、処理パイプラインの符号化リソースよりも、ほぼ３〜４対１の割合で多い。この構成では、ハードウェア資源を付随して増加することなく、更なるサービスをさらに多くのユーザに提供できる。
【０１３０】
図１および１２に図示した実施形態の第１の動作モードにおいて、アンテナ割当ては、例えばユーザが単一のテレビ番組を視聴するためにシステム１００を積極的に使用している限りにおいて継続する、一時割当てである。無線放送を視聴または録画するユーザ要求がある度に、システム１００は、ユーザにアンテナ素子を割り当てる。したがって、ユーザが異なる無線放送を要求する度に、システム１００は、一般的にはユーザに新規なアンテナ素子を割り当てる。
【０１３１】
第２の動作モードにおいて、アンテナ割当ては、例えば特定のユーザに専用に与えられるような、永久的な割当てである。例えば、アンテナは、ユーザのアカウント存続期間中、当該ユーザにリースされる。他の例において、アンテナは、ユーザに実際に売却される。
【０１３２】
システム１００がユーザにアンテナを永久に割り当てるように構成される場合、各ユーザは、無線放送を受信するのに同一のアンテナ素子を常に使用することになる。
【０１３３】
第２の動作モードに対しては、システム１００において要求される復調器１０６（、およびおそらくチューナ１０４）の数が少ないため、図１２の実施形態が好ましい。ユーザが自分のシステムにアクセスしていないとき、そのアンテナ素子１０２のみが完全には利用されていないことになる。スイッチ１０５によって、復調器が他のアクティブなアンテナ素子に再割当て可能となる。
【０１３４】
システム１００がアンテナ素子を永久に割り当てるように構成されており、かつ共同利用される復調および符号化リソースを使用する場合、復調リソースが、特定の場合に、同一のアンテナアレイＰＣＢ上で利用できない可能性がある。この場合、アンテナ最適化・制御部１１６は、他のアンテナアレイＰＣＢ上の利用可能な復調器を探索し、あるＰＣＢ上に位置するアンテナ素子が他のＰＣＢ上に位置する復調および符号化リソースに接続できるように、セレクタスイッチ１０５を制御する。
【０１３５】
図１３は、リソースが共同利用される場合に、アプリケーションウェブサーバ１２４ならびにアンテナ最適化・制御部１１６が、復調および符号化リソースをユーザにどのように割り振るかを示すフローチャートである。
【０１３６】
第１のステップ７０２において、アンテナ最適化・制御部１１６は、アプリケーションサーバ１２４から要求を受信する。一般的には、これらの要求は、ユーザによって、クライアント装置１２８、１３０、１３２、１３４から生成される。アプリケーションサーバ１２４から要求を受信した後、アンテナ最適化・制御部１１６は、利用可能なリソースを探索する。
【０１３７】
ステップ７０８において、アンテナ最適化・制御部１１６は、復調および符号化リソースが、当該要求を送っているユーザに割り当てられたアンテナ素子と同一のアンテナアレイＰＣＢ上のリソースのプールから利用可能であるかを判断する。リソースが利用可能な場合には、アンテナ最適化・制御部１１６は、ステップ７１６において、リソースをユーザに割り振る。一般に、これは、セレクタスイッチ１０５を構成することによって達成される。
【０１３８】
リソースが利用可能でない場合には、アンテナ最適化・制御部１１６は、ステップ７１０において、要求されたコンテンツを受信するのに利用可能な他のアンテナアレイＰＣＢ上の他のリソースを探索する。アンテナ最適化・制御部１１６が、他のいかなるＰＣＢにも利用可能なアンテナならびに／または復調および符号化リソースを捜し出すことができない場合、アンテナ最適化・制御部１１６は、ステップ７１４において、アプリケーションサーバにビジーメッセージを返す。次に、同様に、アプリケーションサーバ１２４は、コンテンツを要求しているユーザにビジーメッセージを返す。
【０１３９】
アンテナおよびリソースが他のアンテナアレイＰＣＢ上で捜し出された場合、アンテナ最適化・制御部１１６は、ステップ７１５においてセレクタスイッチ１０５を設定し、ステップ７１６においてユーザに利用可能な復調器を割り振る。
【０１４０】
これらのステップは、ユーザが録画予約の設定を要求した場合にも行われるであろう。しかし、これらのステップは、リアルタイムでは行われず、むしろ所望のコンテンツが放送事業体から放送されている時に行われるであろう。さらに、当該コンテンツはユーザ装置に配信されないであろう。むしろ、当該コンテンツは、後にユーザがアクセスする放送ファイル格納部１２６内に格納されるであろう。
【０１４１】
本発明をその好ましい実施形態を参照しながら具体的に示し説明してきたが、当業者によって、形および詳細においてさまざまな変形が、添付の請求の範囲から逸脱することなく本発明の範囲内においてなされ得ることを理解されたい。
【図１】
2014502465.tif 000003
【図２】
2014502465.tif 000004
【図３】
2014502465.tif 000005
【図４】
2014502465.tif 000006
【図５】
2014502465.tif 000007
【図６Ａ】
2014502465.tif 000008
【図６Ｂ】
2014502465.tif 000009
【図７】
2014502465.tif 000010
【図８】
2014502465.tif 000011
【図９】
2014502465.tif 000012
【図１０】
2014502465.tif 000013
【図１１】
2014502465.tif 000014
【図１２】
2014502465.tif 000015
【図１３】
2014502465.tif 000016
【国際調査報告】
2014502465.tif 000017
2014502465.tif 000018
2014502465.tif 000019
2014502465.tif 000020
2014502465.tif 000021